(57)【要約】【課題】ナットをボルトに螺合する際、締付具の保持ツールに前記ナットとともに保持されるワッシャと、前記ボルトとの位相合わせを行うことを容易にする。【解決手段】保持ツール３０は、ポケット３８が形成されたソケット３２に複数個のワッシャ保持爪３４が揺動可能に保持されることで構成される。六角袋ナット１６は、ソケット３２に形成されたポケット３８に収容されることでソケット３２に保持される。一方、ワッシャ２４は、その側周壁が、各ワッシャ保持爪３４に形成された環状段部５８に進入することでワッシャ保持爪３４に保持される。この時点では、ワッシャ２４と、六角袋ナット１６のフランジ部２８との間に、ワッシャ保持爪３４の鍔部５４が介在する。【選択図】図５
2015217491.tif 000002
【特許請求の範囲】
【請求項１】
ボルトのネジ部に螺合されるナットと、前記ボルトに通されて前記ナットから押圧されるワッシャとを保持する保持ツールを備える締付具であって、
前記ナットを収容するポケットが形成されたソケットと、
前記ソケットに保持され、前記ポケットの開口に対して接近又は離間する方向に揺動する複数個のワッシャ保持部材と、
前記ワッシャ保持部材を前記ソケット側に指向して弾発付勢する弾発部材と、
を具備し、
前記ワッシャ保持部材に、前記ワッシャの側周壁の一部が進入する段部が陥没形成され、
且つ前記ワッシャ保持部材は、前記ポケット内に収容された前記ナットと、側周壁の一部が前記段部に進入した前記ワッシャとの間に進入し、前記ナットと前記ワッシャを離間させる鍔部を有し、
前記ワッシャ保持部材は、前記ナットを前記ネジ部に螺合する際、前記ポケットの開口から離間する方向に揺動して前記鍔部が前記ナットと前記ワッシャの間から離脱することを特徴とする締付具。
【請求項２】
請求項１記載の締付具において、前記鍔部は、前記ナット及び前記ワッシャに接近するにつれてテーパー状に薄肉化されていることを特徴とする締付具。
【請求項３】
請求項１又は２記載の締付具において、前記ワッシャ保持部材の、前記段部が陥没形成された部位が中空であることを特徴とする締付具。
【請求項４】
請求項１〜３のいずれか１項に記載の締付具において、前記ポケット内に、前記ナットを吸着保持する磁石が配設されていることを特徴とする締付具。
【請求項５】
請求項１〜４のいずれか１項に記載の締付具において、前記ソケットを取り付ける回転軸と、前記回転軸を回転させる回転付勢手段とを有することを特徴とする締付具。
【請求項６】
請求項５記載の締付具において、前記ソケットを前記回転軸から離間する方向に弾発付勢する弾発手段をさらに有することを特徴とする締付具。
【発明の詳細な説明】
【技術分野】
【０００１】
本発明は、締付具に関し、一層詳細には、ナットとワッシャを保持ツールにて保持する締付具に関する。
【背景技術】
【０００２】
所定の取付部材に対し、ボルト・ナットを介して相手材を取り付けることが広汎に行われている。すなわち、例えば、取付部材のボルト孔と相手材のボルト孔を重ね合わせて連通させ、さらに、これらボルト孔に１本のボルトを通した後、ボルト孔から突出したボルトのネジ部にナットを螺合する。ナットと、相手材ないし取付部材との間には、ワッシャが介装されることもある。
【０００３】
ナットとボルトの間に十二分な締付トルクを得るときには、ナットランナ等の締付具が用いられる。すなわち、ナットはソケット内に収容され、ソケットごと螺回される。なお、ワッシャを用いる場合には、特許文献１、２に記載されるように、ナットとワッシャをソケットで同時に保持する。
【０００４】
この場合、ソケットは、インナソケットとアウタソケットのいわゆる二重筒構造とされる。特許文献１には、ナットとワッシャに位相ズレが生じていた場合であっても、インナソケットでナットを保持するとともにアウタソケットでワッシャを保持することが容易となる構成が提案されている。
【０００５】
また、特許文献２には、ボルトのネジ部にナットを螺合する際、螺回するナットの回転力によってボルトが回転することを防止するべく、回転工具の反力をワッシャで受けるようにした構成が開示されている。
【先行技術文献】
【特許文献】
【０００６】
【特許文献１】特開２０１２−１２５８７４号公報
【特許文献２】特開２０１２−１２５９１０号公報
【発明の概要】
【発明が解決しようとする課題】
【０００７】
ワッシャを用いる場合には、ナットの螺合に先んじてワッシャとボルトの位相合わせを行うことが必要なこともある。特許文献１、２には、この位相合わせに関する記載はなく、結局、特許文献１、２記載の技術では、当該位相合わせに対応することは困難である。
【０００８】
本発明は上記した問題を解決するためになされたもので、ナットとともに保持されたワッシャの位相と、前記ナットを螺合するボルトの位相とを合致させることが容易な締付具を提供することを目的とする。
【課題を解決するための手段】
【０００９】
前記の目的を達成するために、本発明は、ボルトのネジ部に螺合されるナットと、前記ボルトに通されて前記ナットから押圧されるワッシャとを保持する保持ツールを備える締付具であって、
前記ナットを収容するポケットが形成されたソケットと、
前記ソケットに保持され、前記ポケットの開口に対して接近又は離間する方向に揺動する複数個のワッシャ保持部材と、
前記ワッシャ保持部材を前記ソケット側に指向して弾発付勢する弾発部材と、
を具備し、
前記ワッシャ保持部材に、前記ワッシャの側周壁の一部が進入する段部が陥没形成され、
且つ前記ワッシャ保持部材は、前記ポケット内に収容された前記ナットと、側周壁の一部が前記段部に進入した前記ワッシャとの間に進入し、前記ナットと前記ワッシャを離間させる鍔部を有し、
前記ワッシャ保持部材は、前記ナットを前記ネジ部に螺合する際、前記ポケットの開口から離間する方向に揺動して前記鍔部が前記ナットと前記ワッシャの間から離脱することを特徴とする。
【００１０】
すなわち、本発明においては、ワッシャ保持部材に保持されたワッシャと、ソケットに保持されたナットとが、ワッシャ保持部材の鍔部によって離間する。このため、ワッシャとボルトの位相合わせを行う作業と、ナットをボルトに螺合する作業とを個別に行うことができる。すなわち、ワッシャの位相と、前記ナットを螺合するボルトの位相とを合致させることが容易となる。
【００１１】
なお、ワッシャ保持部材は、ワッシャとボルトの位相合わせが終了した後に揺動する。すなわち、ナットとワッシャの間から鍔部が離脱する。このため、ナットをボルトに螺合することや、ナットの端面をワッシャに押接させることも容易である。結局、ナットとボルトの間に所定の締付トルクが得られるとともに、部材間に十二分な連結強度をもたらすことができる。
【００１２】
ワッシャ保持部材の鍔部は、ナット及びワッシャに接近するにつれてテーパー状に薄肉化されていることが好ましい。この場合、該鍔部がナット及びワッシャの間から離間することが容易となる。従って、ワッシャ保持部材が容易に揺動するようになるからである。
【００１３】
また、ワッシャ保持部材の、段部が陥没形成された部位は、中空であることが好ましい。この場合、当該部位が軽量であるので、揺動することに対する抗力が小さくなる。このため、該ワッシャ保持部材の鍔部がワッシャの側周壁から離間すること、すなわち、ワッシャ保持部材が揺動することが一層容易となる。
【００１４】
なお、ポケット内には、前記ナットを吸着保持する磁石を配設するようにしてもよい。これによりナットがポケットから脱落することが防止されるので、ナットを螺合する作業が容易となる。
【００１５】
以上の他、さらに、前記ソケットを取り付ける回転軸と、前記回転軸を回転させる回転付勢手段とを設けて締付具を構成することが好ましい。この場合、ワッシャとボルトの位相合わせや、ボルトに対するナットの螺合を自動的に進行させることができる。
【００１６】
この場合、ソケットを回転軸から離間する方向に弾発付勢する弾発手段を設けることが好ましい。これにより、ワッシャが位置決め固定された後にソケットを前進させること、ひいてはナットを螺回しながら前進させることが容易となるからである。
【発明の効果】
【００１７】
本発明によれば、ワッシャ保持部材にワッシャを保持し且つソケットにナットを保持するとともに、ワッシャとナットとの間に、ワッシャ保持部材の鍔部を介在させるようにしている。この介在によりワッシャとナットが離間するので、ワッシャとボルトの位相合わせを行う作業と、ナットをボルトに螺合する作業とを個別に行うことができる。すなわち、ワッシャの位相と、前記ナットを螺合するボルトの位相とを合致させることが容易となる。
【００１８】
ワッシャ保持部材が揺動可能であるので、ワッシャとボルトの位相合わせが終了した後にワッシャ保持部材を揺動させてナットとワッシャの間から鍔部を離脱させれば、ナットをさらに螺回させることができる。このため、ナットのボルトへの螺合や、ナットの端面をワッシャに押接させることが容易である。従って、ナットとボルトの間に所定の締付トルクが得られ、その結果、部材間に十二分な連結強度をもたらすことができる。
【図面の簡単な説明】
【００１９】
【図１】第１部材と第２部材をスタッドボルト（ボルト）と六角袋ナット（ナット）にて連結するときの概略斜視図である。
【図２】図２Ａは、前記スタッドボルトの六角フランジ部の頂点と、ワッシャの六角挿通孔の頂点との位相が合致した状態を示す要部正面図であり、図２Ｂは、前記スタッドボルトの六角フランジ部の頂点と、ワッシャの六角挿通孔の頂点との間に位相ズレが生じた状態を示す要部正面図である。
【図３】本発明の実施の形態に係る締付具を構成する保持ツールの正面図である。
【図４】図３中のＩＶ−ＩＶ線矢視断面図である。
【図５】前記スタッドボルトの第２ネジ部を、ワッシャ保持爪（ワッシャ保持部材）に保持されたワッシャの六角挿通孔に通した状態を示す要部側面断面図である。
【図６】図５から前記ワッシャを前進させた際に、前記スタッドボルトの六角フランジ部にワッシャの六角挿通孔の内壁が当接した状態を示す要部側面断面図である。
【図７】前記六角フランジ部と前記ワッシャとの位相合わせが終了し、前記六角挿通孔に前記六角フランジ部が挿入された状態を示す要部側面断面図である。
【図８】図７からナットを前進させた際に、前記ワッシャ保持爪が揺動を開始した状態を示す要部側面断面図である。
【図９】図８からナットがさらに前進し、そのフランジ部がワッシャの端面に当接した状態を示す要部側面断面図である。
【発明を実施するための形態】
【００２０】
以下、本発明に係る締付具につき好適な実施の形態を挙げ、添付の図面を参照して詳細に説明する。
【００２１】
はじめに、ワッシャとボルトの位相合わせにつき説明する。図１は、第１部材１０と第２部材１２をスタッドボルト１４（ボルト）と六角袋ナット１６（ナット）にて連結するときの概略斜視図である。この場合、スタッドボルト１４の第１ネジ部１７は第１部材１０に予め螺合されており、一方、第２ネジ部１８は、第２部材１２に貫通形成されたボルト孔２０に通される。六角袋ナット１６は、ボルト孔２０から突出した第２ネジ部１８に螺合される。
【００２２】
この場合、スタッドボルト１４には、第２ネジ部１８の起端部側に六角フランジ部２２が設けられる。この六角フランジ部２２も、第２部材１２のボルト孔２０から露呈する。この露呈した六角フランジ部２２が、ワッシャ２４に貫通形成された六角挿通孔２６に挿入される。なお、六角挿通孔２６及び六角フランジ部２２はいずれも正六角形であり、六角挿通孔２６の開口面積は、六角フランジ部２２の外寸に比して若干大きく設定されている。
【００２３】
第２ネジ部１８と六角袋ナット１６の間に十二分な締付トルクを得るときには、ナットランナ等のソケットで六角袋ナット１６及びワッシャ２４の双方を保持する。この際、ソケットのポケット内に、六角袋ナット１６を奥側、ワッシャ２４を手前側として配置することは勿論である。
【００２４】
そして、ナットランナの回転軸を回転させながらソケットを第２ネジ部１８に接近させ、ワッシャ２４の六角挿通孔２６に第２ネジ部１８を通すとともに、六角袋ナット１６のネジ部を第２ネジ部１８に螺合する。六角袋ナット１６のフランジ部２８の端面は、最終的にワッシャ２４の端面に着座する。
【００２５】
ここで、六角挿通孔２６に第２ネジ部１８を通す際、図２Ａに示すように、六角挿通孔２６と六角フランジ部２２の頂点同士の位置が合致しているときには、六角フランジ部２２が六角挿通孔２６に容易に挿入される。これに対し、図２Ｂに示すように、六角挿通孔２６と六角フランジ部２２の頂点同士の位置が合致していないときには、ワッシャ２４の端面が六角フランジ部２２の端面に当接するので、ワッシャ２４が堰止される。この状態で六角袋ナット１６を螺回すると、六角フランジ部２２と六角袋ナット１６との間にワッシャ２４が挟まれた状態となる。
【００２６】
この場合、六角袋ナット１６をそれ以上螺回させることができなくなる。すなわち、六角袋ナット１６が螺合途中で停止してしまう。このため、締付トルクを得ることが困難となる。
【００２７】
本実施の形態に係る締付具は、六角挿通孔２６と六角フランジ部２２の頂点同士に図２Ｂに示す位置ズレ（位相ズレ）が生じているときに、ワッシャ２４を回転させて図２Ａに示す状態、すなわち、位相合わせを行うことが可能である。以下、この点につき詳述する。
【００２８】
図３は、本実施の形態に係る締付具を構成する保持ツール３０の正面図であり、図４は、図３中のＩＶ−ＩＶ線矢視断面図である。この保持ツール３０は、六角袋ナット１６を保持するソケット３２と、該ソケット３２の外周壁に保持された複数個のワッシャ保持爪３４（ワッシャ保持部材）とを有する。なお、本実施の形態において、ワッシャ保持爪３４は６個設けられている。また、図３においては、後述する収容溝３６の位置を明確にするべく、ワッシャ保持爪３４中の１個を仮想線にて示している。
【００２９】
ソケット３２は、ポケット３８が形成されたカップ部４０と、該カップ部４０の閉塞端部から突出した小径の筒状軸部４２（図４参照）とを有する。六角袋ナット１６は、カップ部４０のポケット３８に収容されることでソケット３２に保持される。
【００３０】
ポケット３８の底壁には、互いに略等間隔で離間するようにして６個の磁石４４が埋設されている。これらの磁石４４は、六角袋ナット１６のドーム状端面に磁着する。換言すれば、六角袋ナット１６は磁石４４によって吸着保持されており、このため、ポケット３８から脱落することが困難である。
【００３１】
カップ部４０の外壁には、該カップ部４０の軸線方向に沿って延在するとともに、該カップ部４０の外壁から内壁側に向かって陥没する６本の収容溝３６が形成されている（図３参照）。ワッシャ保持爪３４の大部分は、収容溝３６に挿入されている。
【００３２】
カップ部４０において、筒状軸部４２に近接する端部には、収容溝３６の軸線方向の略半分を覆うリング状ブラケット４６が外嵌される。リング状ブラケット４６は、図示しないボルトでカップ部４０に連結されており、これにより、リング状ブラケット４６がカップ部４０から脱落することが阻止されている。
【００３３】
カップ部４０の先端には、収容溝３６に比して幅広の切欠４８（図４参照）が形成されている。ワッシャ保持爪３４の先端は、切欠４８に進入している。
【００３４】
ワッシャ保持爪３４は、長尺な胴部５０を有する。該胴部５０の端部には、胴部５０の直径方向外方に向かって湾曲しながら膨出し、円弧面を有する円弧状膨出部５２が胴部５０と一体的に設けられる。円弧状膨出部５２の最も大径な部位の側壁は、収容溝３６の底壁と、リング状ブラケット４６の内壁に点接触している。
【００３５】
ワッシャ保持爪３４は、この点接触以外、ソケット３２又はリング状ブラケット４６に当接していない（拘束を受けていない）。このため、ワッシャ保持爪３４は、収容溝３６の底壁と、リング状ブラケット４６の内壁とに点接触した部位を支点として、図４中に矢印で示す方向に揺動することが可能である。
【００３６】
ワッシャ保持爪３４は、さらに、胴部５０に連なる鍔部５４と、該鍔部５４に連なり軽量化のために中空に形成された筒状部５６とを一体的に有する。これら鍔部５４及び筒状部５６が、上記したようにカップ部４０の前記切欠４８に進入する。
【００３７】
鍔部５４の外周壁近傍は、テーパー状に面取りされている。このため、鍔部５４の肉厚は、六角袋ナット１６及びワッシャ２４に接近するにつれて小さくなる。換言すれば、鍔部５４は、六角袋ナット１６及びワッシャ２４に接近するにつれてテーパー状に薄肉化されている。
【００３８】
筒状部５６は、その側周壁が切り欠かれた形状をなし、このため、直径方向内方に向かって陥没した環状段部５８（段部）が形成されている。ワッシャ２４の側周壁は、各ワッシャ保持爪３４の環状段部５８に進入する。
【００３９】
リング状ブラケット４６には、直径方向外方に向かって突出するように６個のスプリング保持部６０が設けられる。各スプリング保持部６０には、カップ部４０の直径方向に沿って保持孔６２が貫通形成されており、この保持孔６２内に、弾発部材としての第１コイルスプリング６４が収容されている。
【００４０】
保持孔６２にはボルト止孔６６が連なっている。このボルト止孔６６が抜止ボルト６８で閉塞されることにより、保持孔６２からの第１コイルスプリング６４の抜け止めがなされるとともに、該第１コイルスプリング６４が収縮される。収縮した第１コイルスプリング６４は、ワッシャ保持爪３４の胴部５０を、収容溝３６の底壁側（ポケット３８側）に指向して常時弾発付勢している。この弾発付勢により、ワッシャ保持爪３４に外力が作用していないときに該ワッシャ保持爪３４が揺動することが防止される。
【００４１】
以上のように構成される保持ツール３０は、例えば、ナットランナの回転軸（いずれも図示せず）に取り付けられて用いられる。すなわち、ソケット３２の筒状軸部４２には、断面略正方形形状で且つ有底の摺動孔７０が形成されるとともに、該摺動孔７０の内壁に歯部７２が形成される。この歯部７２に対し、前記回転軸の先端である四角柱状部の外壁に形成された歯部が噛合する。また、筒状軸部４２及び前記四角柱状部は、回転軸に保持された第２コイルスプリング７４（弾発手段）に囲繞されている。すなわち、保持ツール３０は、前記の噛合と、第２コイルスプリング７４の筒状軸部４２への係合とによって回転軸に保持されている。この保持により、保持ツール３０が前記回転軸に取り付けられて締付具としてのナットランナを構成する。
【００４２】
なお、ソケット３２と回転軸は、相対的な摺動を起こすことが可能である。また、第２コイルスプリング７４は、保持ツール３０を回転軸から離間する方向に弾発付勢している。
【００４３】
ナットランナは、回転付勢手段としての図示しない回転用モータを具備する。前記回転軸は、この回転用モータの作用下に回転する。勿論、回転軸が回転することに追従し、該回転軸の先端に取り付けられた保持ツール３０も回転する。
【００４４】
本実施の形態に係る締付具は、基本的には以上のように構成されるものであり、次に、その作用効果について説明する。
【００４５】
保持ツール３０が前記回転軸に取り付けられることにより、締付具としてのナットランナが構成される。このナットランナを用い、図１に示すスタッドボルト１４の第２ネジ部１８にワッシャ２４を通すとともに六角袋ナット１６を螺合する。勿論、スタッドボルト１４の第２ネジ部１８は、第２部材１２のボルト孔２０に予め通されている。
【００４６】
そして、保持ツール３０のポケット３８に六角袋ナット１６を挿入する。六角袋ナット１６のドーム状端面は、ポケット３８の底壁に設けられた磁石４４によって吸着保持される。このため、六角袋ナット１６がポケット３８から離脱する懸念がない。
【００４７】
次に、ワッシャ保持爪３４の環状段部５８にワッシャ２４の側周壁の一部を進入させる。このために、作業者は、少なくとも１本のワッシャ保持爪３４を、スプリングコイルの弾発付勢力に抗して指等で押し上げ、残余のワッシャ保持爪３４の環状段部５８にワッシャ２４の側周壁を挿入する。その後、押し上げたワッシャ保持爪３４から指等を離せば、ワッシャ保持爪３４が第１コイルスプリング６４から弾発付勢される。その結果、筒状部５６及び鍔部５４がポケット３８の開口側に向かって揺動する。
【００４８】
筒状部５６及び鍔部５４は、ソケット３２の先端の切欠４８に進入する。この際、ワッシャ２４の側周壁の一部が環状段部５８に挿入されて図３及び図４に示す状態となる。結局、ワッシャ２４は、その側周壁が６本のワッシャ保持爪３４の環状段部５８に挿入されることによってワッシャ保持爪３４に保持されている。
【００４９】
ポケット３８に収容された六角袋ナット１６と、ワッシャ保持爪３４に保持されたワッシャ２４との間には、ワッシャ保持爪３４の鍔部５４が介在する。このため、六角袋ナット１６とワッシャ２４とは、鍔部５４の厚みに相当する距離で離間している。
【００５０】
このようにして保持ツール３０が六角袋ナット１６及びワッシャ２４を保持した後、前記回転用モータが付勢される。これに伴って回転軸及び保持ツール３０が回転を開始する。さらに、回転軸及び保持ツール３０が、スタッドボルト１４（図４参照）に向かって前進する。
【００５１】
保持ツール３０が前進動作することにより、先ず、図５に示すように、スタッドボルト１４の第２ネジ部１８がワッシャ２４の六角挿通孔２６を通る。この際に、ワッシャ２４の六角挿通孔２６の内壁が第２ネジ部１８の側周壁に当接しても、ワッシャ保持爪３４の鍔部５４によってワッシャ２４が堰止される。従って、ワッシャ２４が六角袋ナット１６側に後退することが回避される。
【００５２】
保持ツール３０が一層前進すると、図６に示すように、スタッドボルト１４の第２ネジ部１８が六角袋ナット１６の内部のネジ部に螺合され始める。その一方で、ワッシャ２４がスタッドボルト１４の六角フランジ部２２に到達する。ここで、ワッシャ２４の六角挿通孔２６の頂点の位置と、六角フランジ部２２の頂点の位置とが合致していないとき、すなわち、図２Ｂに示す位相ズレ状態であるときには、六角挿通孔２６の内壁が六角フランジ部２２に当接する。このため、ワッシャ２４の前進及び回転が一旦停止する。
【００５３】
六角挿通孔２６の内壁が六角フランジ部２２に当接することに伴い、ワッシャ２４がスタッドボルト１４から反力を受ける。この反力により、ワッシャ２４が鍔部５４に押接するようになる。この押接を受けた鍔部５４と、ワッシャ２４との間に摩擦力が発生する。このため、回転軸及び保持ツール３０に作用している回転付勢力が、ワッシャ保持爪３４を介して回転トルクとしてワッシャ２４に伝達される。
【００５４】
回転トルクを受けたワッシャ２４は、六角挿通孔２６の内壁が六角フランジ部２２に当接した状態で回転する。この回転の最中に、六角挿通孔２６の頂点の位置と、六角フランジ部２２の頂点の位置とが合致する。すなわち、図２Ａに示す位相合わせがなされる。その結果、ワッシャ２４が前進し、六角挿通孔２６に六角フランジ部２２が進入して図７に示す状態となる。
【００５５】
六角挿通孔２６に六角フランジ部２２が進入したため、ワッシャ２４は、前進も回転もできなくなる。すなわち、ワッシャ２４は、位置決め固定されるとともに位相決めされる。また、ワッシャ保持爪３４の鍔部５４がワッシャ２４と六角袋ナット１６の間に介在しているので、保持ツール３０も前進することができなくなる。
【００５６】
その一方で、保持ツール３０には、前記回転用モータの回転付勢力が作用している。このため、保持ツール３０の回転が維持される。この際、ソケット３２のポケット３８内に収容された六角袋ナット１６も回転するので、スタッドボルト１４の第２ネジ部１８に対する六角袋ナット１６の螺合が継続する。従って、六角袋ナット１６のみが前進する。回転軸の四角柱状部の先端面は、この時点で、摺動孔７０の底壁に当接する。
【００５７】
六角袋ナット１６が前進することに伴い、該六角袋ナット１６のフランジ部２８が、位置決め固定されたワッシャ２４に対して接近する。すなわち、両者の距離が小さくなる。このため、ワッシャ保持爪３４の鍔部５４に対し、六角袋ナット１６からワッシャ２４に向かう方向の力と、ワッシャ２４から六角袋ナット１６に向かう方向の力とが作用する。
【００５８】
これらの力を鍔部５４に受けたワッシャ保持爪３４は、収容溝３６の底壁と、リング状ブラケット４６の内壁とに点接触した円弧状膨出部５２の最も大径な部位を支点として、図８に示すように、ポケット３８の開口から離間する方向に揺動し始める。すなわち、鍔部５４が、六角袋ナット１６とワッシャ２４の間からの離脱を開始する。鍔部５４が、直径方向外方に向かうに従ってテーパー状に薄肉化されているので、この離脱、換言すれば、ワッシャ保持爪３４の揺動が容易に進行する。
【００５９】
また、筒状部５６は中空であり、このために軽量である。従って、ワッシャ保持爪３４の重心が筒状部５６から離間した位置となるので、筒状部５６は容易に揺動することができる。
【００６０】
ワッシャ保持爪３４が揺動することに伴い、第１コイルスプリング６４がワッシャ保持爪３４の胴部５０によって圧縮される。また、保持ツール３０は、第２コイルスプリング７４の弾発付勢によって前進する。このときには、摺動孔７０内の歯部７２が回転軸の四角柱状部の歯部に沿って摺動する。その結果、該四角柱状部の先端面が摺動孔７０の底壁から離間する。
【００６１】
六角袋ナット１６が一層前進することに伴い、図９に示すように、ワッシャ保持爪３４が一層揺動して鍔部５４が六角袋ナット１６とワッシャ２４の間から離脱し、ワッシャ２４ないし六角袋ナット１６のフランジ部２８の側周壁に乗り上がる。従って、六角袋ナット１６がワッシャ保持爪３４の鍔部５４から堰止されることがなくなる。このため、保持ツール３０が第２コイルスプリング７４の弾発付勢を受け、回転しながらさらに前進する。これにより六角袋ナット１６のドーム状端部が磁石４４に再吸着され、その結果、六角袋ナット１６に伝達される回転トルクが増加する。
【００６２】
以上のような理由から、第２ネジ部１８に対する六角袋ナット１６の螺合が一層進行する。六角袋ナット１６の螺合が終了すると、該六角袋ナット１６のフランジ部２８がワッシャ２４に押接する。換言すれば、ワッシャ２４が六角袋ナット１６から押圧されるようになり、スタッドボルト１４の第２ネジ部１８と六角袋ナット１６との間に十二分な締付トルクが得られる。
【００６３】
このように、ソケット３２にワッシャ保持爪３４を設けて保持ツール３０を構成したことにより、ワッシャ２４とスタッドボルト１４の位相合わせを行うことが容易となる。このため、スタッドボルト１４の第２ネジ部１８に対し、ワッシャ２４を介装した状態で六角袋ナット１６を容易に螺合することができる。以上により、第１部材１０と第２部材１２がスタッドボルト１４と六角袋ナット１６によって連結されるに至る。
【００６４】
第２ネジ部１８に対する六角袋ナット１６の螺合が終了すると、前記回転軸及び前記保持ツール３０が後退する。この際、六角袋ナット１６がポケット３８内から露呈してソケット３２から離脱する。そして、ワッシャ保持爪３４の胴部５０が第２コイルスプリング７４からの弾発付勢を受け、これにより、鍔部５４及び筒状部５６がポケット３８の開口側に向かうように揺動する。勿論、この場合の支点も、上記の点接触箇所である。鍔部５４及び筒状部５６は、図４に示すように、カップ部４０の切欠４８に進入する。
【００６５】
本発明は、上記した実施の形態に特に限定されるものではなく、本発明の要旨を逸脱しない範囲で種々の変更が可能である。
【００６６】
例えば、ワッシャ２４の挿通孔は円孔であってもよいし、六角袋ナット１６に代替して六角ナット等を螺合するようにしてもよい。
【００６７】
また、保持ツール３０をトルクレンチ等に取り付けて締付具を構成するようにしてもよい。
【符号の説明】
【００６８】
１０…第１部材                          １２…第２部材
１４…スタッドボルト                    １６…六角袋ナット
１７、１８…ネジ部                      ２０…ボルト孔
２２…六角フランジ部                    ２４…ワッシャ
２６…六角挿通孔                        ３０…保持ツール
３２…ソケット                          ３４…ワッシャ保持爪
３６…収容溝                            ３８…ポケット
４４…磁石                              ５０…胴部
５２…円弧状膨出部                      ５４…鍔部
５６…筒状部                            ５８…環状段部
６４…第１コイルスプリング              ７４…第２コイルスプリング
【図１】
2015217491.tif 000003
【図２】
2015217491.tif 000004
【図３】
2015217491.tif 000005
【図４】
2015217491.tif 000006
【図５】
2015217491.tif 000007
【図６】
2015217491.tif 000008
【図７】
2015217491.tif 000009
【図８】
2015217491.tif 000010
【図９】
2015217491.tif 000011